(57)【特許請求の範囲】
【請求項１】
成形樹脂タブレットを複数個収納できるマガジンと、マガジンから成形樹脂タブレットを１ヶ切り出しするマガジンシャッタと、マガジンから１ヶ切り出された成形樹脂タブレットを金型ポットへ供給するシュートと、シュート内の成形樹脂タブレットを金型ポット上で切り出しするシュートシャッタと、シュートを動作させるアクチュエータと、シュートを支持するリンクアームと、成形樹脂タブレット供給ユニット全体を支持する支持シャフトと、シャフトと成形機タイバーを連結する連結ブロックで構成されることを特徴とする成形樹脂タブレット供給ユニット。
【請求項２】
前記成形樹脂タブレット供給ユニットでの成形樹脂タブレット供給時、シュート動作終端近傍で予め設けられたシュートシャッタ開ピンへシュートシャッタ開板があたりシュートシャッタが開くことを特徴とする請求項１の記載の成形樹脂タブレット供給ユニット。
【請求項３】
前記成形樹脂タブレット供給ユニットにおいて、リンクアームを変形平行リンク機構とし、成形樹脂タブレット供給時シュートが下向きの傾斜となることを特徴とする請求項１に記載の成形樹脂タブレット供給ユニット。
【請求項４】
前記成形樹脂タブレット供給ユニットにおいて、シュート戻り時、シュート動作終端近傍でシュート支持ピンがマガジンシャッタ開板にあたりマガジンシャッタが開くことを特徴とする請求項１に記載の成形樹脂タブレット供給ユニット。
【請求項５】
前記成形樹脂タブレット供給ユニットにおいて、マガジンからの成形樹脂タブレット切り出しと、金型ポット部への成形樹脂タブレット供給がアクチュエータ１ヶで動作することを特徴とする請求項１に記載の成形樹脂タブレット供給ユニット。
【請求項６】
成形樹脂タブレット供給ユニットを支持している支持シャフトと、成形機タイバーとを分割型の連結ブロックで固定することで容易に取り付が可能なことを特徴とする請求項１に記載の成形樹脂タブレット供給ユニット。
【請求項７】
請求項１ないし６に記載のいずれかの成形樹脂タブレット供給ユニットを設置して、トランスファ成形金型部に、成形樹脂タブレットを供給することを特徴とするトランスファ型成形機。
【発明の詳細な説明】
【０００１】
【発明の属する技術分野】
本発明は、主としてトランスファ型成形機に使用されるのに好適な成形樹脂タブレット供給ユニットおよびそれを用いたトランスファ型成形機に関する。
【０００２】
【従来の技術】
従来、トランスファ型成形機に使用される成形樹脂タブレット供給ユニットは、成形樹脂タブレットの切り出し、金型上への移載、金型ポットへの供給に各々個別にアクチュエータを用い、直動ガイドでその動作をガイドしていた。
【０００３】
図２は、従来の成形樹脂タブレット供給ユニットの説明図である。図２の成形樹脂タブレット供給ユニットは、パーツフィーダ２２と、第１のアクチュエータ２３と、チャック２４と、第２のアクチュエータ２５と、供給ブロック２６と、シャッタ２７と、ガイド２８とで構成されている。
【０００４】
図２の成形樹脂タブレット供給ユニットの動作は、以下のごとくである。パーツフィーダ２２に投入された複数の成形樹脂タブレットの内、１個をチャック２４が掴み、第１のアクチュエータ２３にて移送し、シャッタ２７上に落とし、ついで第２のアクチュエータ２５によって、金型２１の所定の場所まで移送され、投入される。
【０００５】
【発明が解決しようとする課題】
しかし、従来の成形樹脂タブレット供給ユニットは、複数個のアクチュエータを用いるため安価にはできず、また動作が直動で、その動作量に対し何倍ものガイド長さが必要なため、ユニット全体が非常に大きくなるという欠点があった。
【０００６】
本発明は、上記課題を解決し、安価で小型の成形樹脂タブレット供給ユニット、およびそれを用いたトランスファ型成形機を提供することである。
【０００７】
【課題を解決するための手段】
本発明は、成形樹脂タブレットを複数個収納できるマガジンと、マガジンから成形樹脂タブレットを１ヶ切り出しするマガジンシャッタと、マガジンから１ヶ切り出された成形樹脂タブレットを金型ポットへ供給するシュートと、シュート内の成形樹脂タブレットを金型ポット上で切り出しするシュートシャッタと、シュートを動作させるアクチュエータと、シュートを支持するリンクアームと、成形樹脂タブレット供給ユニット全体を支持する支持シャフトと、支持シャフトと成形機タイバーを連結する連結ブロックで構成し、成形樹脂タブレット供給時、シュート動作終端近傍で予め設けられたシュートシャッタ開ピンへシュートシャッタ開板があたりシュートシャッタが開き成形樹脂タブレットを金型ポットへ供給する。この時、シュートの姿勢は、リンクアームを変形平行リンク機構とすることで下向きの傾斜となる。
【０００８】
シュート戻り時には、シュート動作終端近傍でシュート支持ピンがマガジンシャッタ開板にあたりマガジンシャッタが開き、次回供給される成形樹脂タブレットがマガジンからシュートへ１ヶ切り出される。上記動作により、マガジンからの成形樹脂タブレット切り出しと、金型ポットへの成形樹脂タブレット供給がアクチュエータ１ヶで動作する。
【０００９】
また、成形樹脂タブレット供給ユニットを支持している支持シャフトと、成形機タイバーとを分割型の連結ブロックで固定することで容易に取り付けが可能となる。
【００１０】
即ち、本発明は、トランスファー型成形機において、成形樹脂成形樹脂タブレットを複数個収納できるマガジンと、マガジンから成形樹脂タブレットを１ヶ切り出しするマガジンシャッタと、マガジンから１ヶ切り出された成形樹脂タブレットを金型ポットへ供給するシュートと、シュート内の成形樹脂タブレットを金型ポット上で切り出しするシュートシャッタと、シュートを動作させるアクチュエータと、シュートを支持するリンクアームと、成形樹脂タブレット供給ユニット全体を支持する支持シャフトと、シャフトと成形機タイバーを連結する連結ブロックで構成される成形樹脂タブレット供給ユニットである。
【００１１】
また、本発明は、前記成形樹脂タブレット供給ユニットでの成形樹脂タブレット供給時、シュート動作終端近傍で予め設けられたシュートシャッタ開ピンへシュートシャッタ開板があたりシュートシャッタが開く成形樹脂タブレット供給ユニットである。
【００１２】
また、本発明は、前記成形樹脂タブレット供給ユニットにおいて、リンクアームを変形平行リンク機構とし、成形樹脂タブレット供給時シュートが下向きの傾斜となる成形樹脂タブレット供給ユニットである。
【００１３】
また、本発明は、前記成形樹脂タブレット供給ユニットにおいて、シュート戻り時、シュート動作終端近傍でシュート支持ピンがマガジンシャッタ開板にあたりマガジンシャッタが開く成形樹脂タブレット供給ユニットである。
【００１４】
また、本発明は、前記成形樹脂タブレット供給ユニットにおいて、マガジンからの成形樹脂タブレット切り出しと、金型ポット部への成形樹脂タブレット供給がアクチュエータ１ヶで動作する成形樹脂タブレット供給ユニットである。
【００１５】
また、本発明は、成形樹脂タブレット供給ユニットを支持している支持シャフトと、成形機タイバーとを分割型の連結ブロックで固定することで、容易に取り付が可能な成形樹脂タブレット供給ユニットである。
【００１６】
また、本発明は、前記のいずれかの成形樹脂タブレット供給ユニットを設置して、トランスファ成形金型部に、成形樹脂タブレットを供給するトランスファ型成形機である。
【００１７】
【実施例】
本発明の実施例による成形樹脂タブレット供給ユニット、およびそれを用いたトランスファ型成形機について、以下に説明する。
【００１８】
（実施例１）
本発明の実施例１による成形樹脂タブレット供給ユニットについて、以下に説明する。図１は、本発明の実施例の成形樹脂タブレット供給ユニットの説明図である。図１に示すように、本発明の成形樹脂タブレット供給ユニットは、成形樹脂タブレット１を複数個収納できるマガジン２と、マガジン２から成形樹脂タブレット１を１ヶ切り出しするマガジンシャッタ３と、マガジン２から１ヶ切り出された成形樹脂タブレット１を金型ポット４へ供給するシュート５と、シュート５内の成形樹脂タブレット１を金型ポット４上で切り出しするシュートシャッタ６と、シュート５を動作させるアクチュエータ７と、シュート５を支持するリンクアーム８ａ，８ｂと、成形樹脂タブレット供給ユニット全体を支持する支持シャフト９と、支持シャフト９と成形機タイバー１０を連結する連結ブロック１１で構成される。
【００１９】
ここで、成形樹脂タブレット１の供給時、アクチュエータ７が動作すると、リンクアーム８ａ，８ｂに支持されたシュート５が金型ポット４上へ移動する。この時、リンクアーム８ａ，８ｂは、変形平行リンク機構となっているため、シュート５は下向きの傾斜となり、シュート５内の成形樹脂タブレット１は、シュート５の先端へ容易に移動する。これと同時に、シュート５の動作終端近傍で予め設けられたシュートシャッタ支持ピン１２にシュートシャッタ開ピン１３があたり、シュートシャッタ６が開き、成形樹脂タブレット１は金型ポット４へ供給される。また、シュート５が動作すると、シュート支持ピン１２で拘束されたマガジンシャッタ３が閉じ、マガジン内の成形樹脂タブレット１は落下しない。
【００２０】
成形樹脂タブレット１の供給動作が完了し、シュート５の戻り動作時には、シュート５の動作終端近傍でシュート支持ピン１２がマガジンシャッタ開板１４にあたり、マガジンシャッタ３が開き、成形樹脂タブレット１が１ヶシュート５内に供給される。
【００２１】
以上のように、マガジン２からの成形樹脂タブレット１の切り出しと金型ポット４内への成形樹脂タブレット１の供給が１ヶのアクチュエータ７で動作することが可能となる。また、本発明の成形樹脂タブレット供給ユニットを支持している支持シャフト９と成形機タイバー１０とを分割型の連結ブロック１１で固定することにより、容易に取り付けが可能である。
【００２２】
（実施例２）
本発明の実施例２によるトランスファ型成形機について、以下に説明する。本発明のトランスファ型成形機は、先の実施例１での成形樹脂タブレット供給ユニットを設置して、トランスファ成形金型部に、成形樹脂タブレットを供給する構成とするものである。これによって、成形樹脂タブレット供給ユニットが、従来より安価で小型となるので、全体としてトランスファ型成形機も効率の良い、安価な設備となる。
【００２３】
また、本発明のトランスファ型成形機は、主としてモールド型の電子部品、例えば、モールドコイル、モールドトランス等の製造に好適である。
【００２４】
【発明の効果】
以上述べたごとく、本発明によれば、マガジンからの成形樹脂タブレット切り出しと金型ポットへの成形樹脂タブレット供給が１ヶのアクチュエータで動作可能となり、安価で小型の成形樹脂タブレット供給ユニットおよびトランスファ型成形機を提供することが可能となる。
【図面の簡単な説明】
【図１】本発明の実施例による成形樹脂タブレット供給ユニットの説明図。
【図２】従来の成形樹脂タブレット供給ユニットの説明図。
【符号の説明】
１    成形樹脂タブレット
２    マガジン
３    マガジンシャッタ
４    金型ポット
５    シュート
６    シュートシャッタ
７    アクチュエータ
８ａ    リンクアーム
８ｂ    リンクアーム
９    支持シャフト
１０    成形機タイバー
１１    連結ブロック
１２    シュート支持ピン
１３    シュートシャッタ開ピン
１４    マガジンシャッタ開板
２１    金型
２２    パーツフィーダ
２３    第１のアクチュエータ
２４    チャック
２５    第２のアクチュエータ
２６    供給ブロック
２７    シャッタ
２８    ガイド
【図１】
0003868275.tif 000002
【図２】
0003868275.tif 000003